(57)【特許請求の範囲】
【請求項１】
選挙用の投票用紙を投出し交付するための投出ボタンと、複数の選挙種別を記憶する記憶手段と、記憶された前記複数の選挙種別から特定の選挙種別を選択する選挙種別選択手段と、選択された前記特定の選挙種別を音声として出力する音声出力手段を備え、ホッパー内に収納した選挙用の投票用紙を前記投出ボタンを押すことにより一枚ずつ繰り出し交付するとともに、選択された特定の選挙種別を音声として出力する投票用紙自動交付機において、
前記記憶手段は、投票用紙の複数の記入方法を、前記複数の選挙種別とは別々に記憶するものとし、
記憶された前記複数の記入方法から特定の記入方法を選択する記入方法選択手段を設け、
前記音声出力手段は、選択された前記選挙種別と、選択された前記記入方法とを音声として出力するものとし、
前記投票用紙自動交付機は、投票用紙自動交付機本体と、該投票用紙自動交付機本体に接続ケーブルで接続された操作盤とからなるものとし、
前記操作盤に、前記投出ボタンと、各種設定や集計のためのモードの選択を行うモード選択ボタンとを設け、
前記投出ボタンを、前記選挙種別選択手段または記入方法選択手段の一部として兼用し、
投票用紙交付可能状態で、前記モード選択ボタンが押下されることにより、モード選択状態に移行し、モード選択状態が終了したとき、前記投出ボタンにより投票用紙が交付可能な状態に復帰するようにしたことを特徴とする投票用紙自動交付機。
【発明の詳細な説明】
【０００１】
【発明の属する技術分野】
本発明は各種の選挙において、所定の投票用紙を自動的に且つ次々と交付するための選挙用投票用紙自動交付機に関する。
【０００２】
【従来の技術】
従来、例えば実公平７−３２５１３号公報に、各種選挙の種別名に対応したアナウンスを内蔵した音声合成ＲＯＭと、該音声合成ＲＯＭの出力を放声するためのスピーカと、ＲＯＭ内容切換スイッチを備え、ＲＯＭ内容切換スイッチにより選択された選挙種別に対応した音声表示を行うようにした選挙投票用紙交付機が開示されている。
【０００３】
【発明が解決しようとする課題】
選挙には、最高裁国民審査，衆議院小選挙区，衆議院比例代表区，参議院選挙区，参議院比例代表区，地方公共団体の長や議員の選挙などがあるが、投票用紙の記入方法は選挙種別によって一律でない。例えば、最高裁国民審査の場合は、不信任とする裁判官に×を記入し、衆議院小選挙区の場合は候補者名を記入し、衆議院比例代表区の場合は政党名を記入するなど、記入方法は選挙種別により様々である。そのため、投票所に来場した有権者に対し、選挙種別ごとに投票用紙の記入方法を周知させる必要があるが、有権者に投票用紙を交付する際に、その都度、口頭によって選挙種別ならびに記入方法を伝達することは、係員にとって著しい負担である。また、口頭によって選挙種別ならびに記入方法を伝達するのでは、周知徹底が困難で、そのため、有権者が記入方法を誤ったり、記入方法がわからなくて困惑したりすることも少なくない。
【０００４】
上記公報に開示された選挙投票用紙交付機は、選挙種別についてはアナウンスするが、投票用紙の記入方法まではアナウンスしない。そのため、投票用紙の記入方法はやはり係員が口頭で伝達するしかない。
【０００５】
したがって、各種選挙の選挙種別だけでなく、各選挙種別に対応した投票用紙の記入方法もアナウンスできるようにし、しかも、選挙種別に対応してアナウンスする記入方法を容易に選択できるようにすることが課題である。本発明はこのような課題を解決することを目的とする。
【０００６】
【課題を解決するための手段】
本発明は、選挙用の投票用紙を投出し交付するための投出ボタンと、複数の選挙種別を記憶する記憶手段と、記憶された前記複数の選挙種別から特定の選挙種別を選択する選挙種別選択手段と、選択された前記特定の選挙種別を音声として出力する音声出力手段を備え、ホッパー内に収納した選挙用の投票用紙を前記投出ボタンを押すことにより一枚ずつ繰り出し交付するとともに、選択された特定の選挙種別を音声として出力する投票用紙自動交付機において、前記記憶手段は、投票用紙の複数の記入方法を、前記複数の選挙種別とは別々に記憶するものとし、記憶された前記複数の記入方法から特定の記入方法を選択する記入方法選択手段を設け、前記音声出力手段は、選択された前記選挙種別と、選択された前記記入方法とを音声として出力するものとし、前記投票用紙自動交付機は、投票用紙自動交付機本体と、該投票用紙自動交付機本体に接続ケーブルで接続された操作盤とからなるものとし、前記操作盤に、前記投出ボタンと、各種設定や集計のためのモードの選択を行うモード選択ボタンとを設け、前記投出ボタンを、前記選挙種別選択手段または記入方法選択手段の一部として兼用し、投票用紙交付可能状態で、前記モード選択ボタンが押下されることにより、モード選択状態に移行し、モード選択状態が終了したとき、前記投出ボタンにより投票用紙が交付可能な状態に復帰するようにしたことを特徴とする。この場合、選挙種別だけでなく、投票用紙の記入方法が記憶され、選択された選挙種別と前記記入方法が音声として出力される。そのため、誤記入等の混乱を少なくでき、選挙管理者が口頭で説明する手間を省くことができる。
【０００７】
【発明の実施の形態】
以下、本発明の実施の形態を図面に基づいて説明する。
【０００８】
図１〜図６は、本発明の実施の形態の一例に係るもので、図１は投票用紙自動交付機の外観を示し、図２は制御系のブロック図を示し、図３は各種設定や集計のためのモード名とその内容の一覧を示し、図４の（Ａ）は選挙種別のデータ構造を示し、図４の（Ｂ）は投票用紙の記入方法のデータ構造を示し、図５は比較例の選挙種別と記入方法のデータ構造を示し、図６は選挙種別と記入方法の設定時の表示部の表示内容を示す。
【０００９】
この実施の形態に示す投票用紙自動交付機は、ホッパー内に収納した投票用紙を、投出ボタンを押すことにより、一枚ずつ繰り出し交付する装置であって、図１に示すように、投票用紙自動交付機本体１と操作盤２とからなり、これら投票用紙自動交付機本体１と操作盤２が接続ケーブル３で接続されている。
【００１０】
投票用紙自動交付機本体１は、箱型の本体ケース１１と、本体ケース１１の前端部下面にヒンジ連結された開閉可能な前面カバー１２と、前端側が本体ケース１１に支持されて後端側から上下に開閉可能とされた透明体の上部カバー１３とで構成されている。
【００１１】
本体ケース１１の内部には、投票用紙を集積収納するホッパーが配置されている。そして、投票用紙を投出して交付する投票用紙投出口１４が、本体ケース１１の前面上端と前面カバー１２との間に横長スリット状に設けられている。
【００１２】
この投票用紙自動交付機は、例えば投票者が投票用紙を抜き取ろうとして投票用紙投出口１４に手を近づけたときに、その手の接近を検知して選挙種別や投票用紙の記入方法等の案内データを音声出力するようにしたものであって、本体ケース１１の内部上方位置に、投票用紙投出口１４に接近する手を検知するよう物体センサ（図示せず）が配置され、そのセンサ開口部１５が、本体ケース１１の前端部上面の投票用紙投出口１４の直背後に設けられている。
【００１３】
前面カバー１２は、投票用紙の紙詰まり等、トラブルが発生したときに開くことができるようにしたものであり、その正面下部中央にはスピーカ前面パネル１２ａが形成されている。そして、前面カバー１２の内部には、スピーカ前面パネル１２ａの後方に、上記案内データを音声出力する音声発生手段としてのスピーカ（図示せず）が設けられている。
【００１４】
上部カバー１３は、センサー開口部１５の後方から背面上部にわたって覆うもので、ホッパーに投票用紙を収納するために開閉可能とされ、施錠可能である。また、前面カバー１２は、投票用紙の紙詰まりを取り除くことができるように開閉可能とされたものである。
操作盤２には、各種設定内容や投票率等の集計内容を表示する表示部２１と、各種設定や集計のためのモードの選択を行うモード選択ボタン２２と、各種設定や集計の内容を確定させる決定ボタン２３が設けられているほか、投票用紙を投票用紙投出口１４に投出し交付するための一対の投出ボタン２４ａ，２４ｂが設けられている。一対の投出ボタン２４ａ，２４ｂは、例えば、一方を男性用投出ボタン２４ａ、他方を女性用投出ボタン２４ｂと設定し、投票者の性別によって使い分けることにより、性別による投票率の集計が可能となるようにしたものである。また、この一対の投出ボタン２４ａ，２４ｂは、モード選択ボタン２２で選択した各モードにおける設定や集計の内容を順次スクロールさせたり、設定値を変更するためのボタンとして兼用される。
【００１５】
この投票用紙自動交付機には、マイクロコンピュータを用いた制御部３０が設けられている。
【００１６】
制御部３０には、各種設定や集計のためのモード名およびその内容や、投票用紙の交付済み枚数や交付予定枚数などの交付データや、選挙種別や記入方法などの案内データなどを記憶する記憶装置３１と、交付データや案内データを音声出力するスピーカ３２と、投票用紙を投票用紙投出口１４まで搬送するための駆動源となる駆動モータ３３と、赤外線センサなどで構成され、投票用紙投出口１４に接近する投票者の手を検知する物体センサ３４と、投票用紙の重送等の搬送異常や、規格外用紙等の用紙自体の異常を検知する異常検知センサ３５と、この異常検知センサ３５で異常を検知したとき搬送中の投票用紙を排出搬送路に導く切換レバーを駆動する切換レバーソレノイド３６と、前面カバー１２の開放を検知する前面カバー開放センサ３７と、上部カバー１３の施錠を検知する上部カバー施錠センサ３８と、投票用紙投出口１４に投出された投票用紙が投票者により抜き取られたことを検知する抜取センサ３９と、投票用紙の交付時刻を計時する時計４０と、前述の表示部２１，モード選択ボタン２２，決定ボタン２３および一対の投出ボタン２４ａ，２４ｂが設けられた操作盤２が接続される。
【００１７】
制御部３０には、物体センサ３４，異常検知センサ３５，前面カバー開放センサ３７，上部カバー施錠センサ３８および抜取りセンサ３９からそれぞれのセンサ出力が入力される。また、操作盤２のモード選択ボタン２２，決定ボタン２３および一対の投出ボタン２４ａ，２４ｂを用いて、各種のモードの選択と値の設定が行われる。制御部３０は、それら入力を受け、記憶装置３１に記憶された各種案内データと時計４０により計測される時刻を読み出し、駆動モータ３３を制御し、スピーカ３２からの音声出力を制御し、切換レバーソレノイド３６を制御し、一対の投出ボタン２４ａ，２４ｂにより投票用紙を交付し、操作盤２の表示部２１にデータを表示させ、スピーカ３２から音声を出力する。
【００１８】
各種設定や集計のためのモード名およびその内容は、図３に示すとおりである。各種の設定として、都道府県や市町村などの使用地域設定や、衆議院小選挙区，衆議院比例代表などの選挙種別設定等々、８種類の設定モードが用意される。また、時間帯別投票数や時間帯別投票率などを集計し表示させるための集計データ表示モードと、集計データを初期化する集計データクリアモードも用意される。
【００１９】
記憶装置３１には、複数の選挙種別および投票用紙の複数の記入方法が別々に記憶される。
【００２０】
記憶装置３１に記憶される選挙種別のデータ構造は、図４の（Ａ）に示すとおりで、例えば、「（０１）最高裁国民審査」，「（０２）衆議院小選挙区」，「（０３）衆議院比例代表」，「（０４）参議院選挙区」，「（０５）参議院比例代表」，「（０６）知事選挙」・・・「（１７）町議会選挙」，「（１８）村議会選挙」など、１８の選挙種別が記憶される。
【００２１】
また、投票用紙の記入方法のデータ構造は、図４の（Ｂ）に示すとおりで、例えば、「（１）候補者名を記入」，「（２）政党名を記入」，「（３）投票する候補者に○を記入」，「（４）投票する政党名に○を記入」，「（５）不信任者に×を記入」、の５通りの記入方法が記憶される。
【００２２】
そして、図４の（Ａ）に示すように、選挙種別のデータ構造には、選挙種別の各々に対し、選択の対象となる記入方法候補群のデータが付加される。例えば、衆議院小選挙区の場合、通常は、投票用紙に投票したい候補者名を記入するが、候補者が少ない場合などは、投票用紙に予め候補者全員の氏名が表示され、投票者は投票したい候補者の欄に○を記入するという方法も考えられる。この場合、選挙種別の「（０２）衆議院小選挙区」に対する投票用紙の記入方法の群（選択の対象となる記入方法候補群）は、「（１）候補者名を記入」と「（３）投票する候補者に○を記入」ということになり、候補群データとして、「１」と「３」が付加されて記憶される。
【００２３】
このように、選挙種別と記入方法を別々に記憶するとともに、各選挙種別に対する記入方法の候補群データを記憶するようにすることで、図５に比較例として示すような、選挙種別と記入方法の組合せをすべて記憶する場合に比べ、記憶手段の容量を少なくすることができる。
【００２４】
各種設定や集計のためのモードの選択と各モードでの設定を行う方法は概略次のとおりである。
【００２５】
（１）投票用紙交付可能状態（投票用紙が交付のための待機位置で待機し、投出ボタン２４ａ，２４ｂが点灯している。）で、操作盤２のモード選択ボタン２２を１秒以上押下すると、モード選択状態に移行し、表示部２１に、図３のモード一覧表の最初のモード「使用地域設定」が表示される。そして、モード選択ボタン２２をさらに押下することにより、モード一覧表の次のモードを順次表示させることができる。
【００２６】
（２）設定のためのモードでは、モードの表示と同時に、各モードの初期設定値が表示され、例えば、「選挙種別設定」のモードでは「最高裁国民審査」が、また、「記入方法設定」のモードでは「候補者名を記入」が同時に表示される。そして、投出ボタン２４ａまたは２４ｂにより設定の変更を行える。例えば、「選挙種別設定」のモードでは、投出ボタン２４ａまたは２４ｂを押下することにより、選挙種別が順送りまたは逆送りに変更される。つまり、「最高裁国民審査」が表示されている状態で第１の投出ボタン２４ａを押下すると、次の選挙種別である「衆議院小選挙区」が表示され、第２の投出ボタン２４ｂを押下すると、前の選挙種別である「村議会選挙」が表示される。
【００２７】
（３）各モードにおいて設定を所望の設定に変更した後、決定ボタン２３を押下することにより設定が確定される。そして、表示部２１の右上に、設定完了をしめす「ＯＫ」の文字が表示される。
【００２８】
（４）設定完了から３秒が経過すると、自動的に次のモードが表示され、モード選択および設定の変更を継続することができる。
【００２９】
（５）モード選択または各モードでの設定待ちの状態で、３０秒以上操作入力がないとき、もしくは、図３のモード一覧表の最後のモード「集計データクリア」が表示された状態で、モード選択ボタン２２が押下されたときは、モードを選択する状態が終了し、投票用紙が交付可能な状態に復帰する。
【００３０】
選挙種別と記入方法の設定の具体的手順は、図６に示すとおりである。
【００３１】
（Ｓ１）
投票用紙交付可能状態で操作盤２のモード選択ボタン２２を１秒以上押下する。すると、表示部２１には、図６のＳ１に示すように、図３のモード一覧表の最初のモード「使用地域設定」と、使用地域の設定値の初期値である「都／区」が表示される。
【００３２】
（Ｓ２）
そして、モード選択ボタン２２を押下することにより、Ｓ２に示すように、モード一覧表の次のモードである「選挙種別設定」が表示され、同時に、選挙種別の初期設定として、図４の（Ａ）に示す選挙種別のデータ構造の最上位の「最高裁国民審査」が表示される。
【００３３】
（Ｓ３）
ここで、第１の投出ボタン２４ａを押下すると、選挙種別のデータ構造の順序に従って選挙種別の表示が順送りで変更される。投出ボタン２４ａを１回押したときの表示は、Ｓ３に示すように、「衆議院小選挙区」である。
【００３４】
（Ｓ４）
選挙種別として「衆議院小選挙区」を設定する場合は、ここで決定ボタン２３を押下する。すると、表示部２１には、Ｓ４に示すように、設定完了を示す「ＯＫ」の文字が表示される。
【００３５】
（Ｓ５）
選挙種別の設定が完了すると、図３のモード一覧表の次のモードである「記入方法設定」が表示される。この場合、先に選挙種別が「衆議院小選挙区」に設定してあり、「衆議院小選挙区」に対し選択の対象となる記入方法の候補群は、図４の（Ａ）に示す候補群データの「１」および「３」で、記入方法の候補としては、図４の（Ｂ）に示す「候補者名を記入」と、「投票する候補者に○を記入」の２種類であって、Ｓ５に示すように、記入方法のデータ構造のより上位に記憶されている「候補者名を記入」が、記入方法の設定の初期値として表示される。
【００３６】
（Ｓ６）
ここで、第１の投出ボタン２４ａを押下すると、記入方法候補は順送りに変更され、Ｓ６に示すように、次の記入方法候補である「投票する候補者に○を記入」が表示される。
【００３７】
（Ｓ７）
「記入方法設定」モードの設定としては、記入方法候補に加えて「音声ガイドなし」も選択できるようになっており、Ｓ６の状態でさらに第１の投出ボタン２４ａを押下することにより、Ｓ７に示すように、「音声ガイドなし」が表示される。
【００３８】
（Ｓ８）
なお、Ｓ７の状態でさらに第１の投出ボタン２４ａを押下すると、設定の表示が一巡し、「候補者名を記入」が表示される。また、第２の投出ボタン２４ｂを押下することにより、設定の表示を逆送りに変更することができる。したがって、「音声ガイドなし」が表示されている状態で、第２の投出ボタン２４ｂを２回押下することによりＳ８に示すように「候補者名を記入」を表示させることもできる。
【００３９】
（Ｓ９）
記入方法として「候補者名を記入」を設定する場合は、ここで決定ボタン２３を押下する。すると、Ｓ９に示すように、表示部２１には設定完了を示す「ＯＫ」の文字が表示される。
【００４０】
（Ｓ１０）
記入方法の設定が完了し、３秒が経過すると、Ｓ１０に示すように、図３のモード一覧表の次のモードである「音量設定」が表示される。
【００４１】
（Ｓ１１）
モード選択ボタン２２を押下し、図３のモード一覧表の最後のモードである「集計データクリア」を表示させた状態で、さらにモード選択ボタン２２を押下すると、モード選択状態が終了し、投票用紙交付可能状態に復帰する。
【００４２】
こうして選挙種別と投票用紙の記入方法の設定が行われ、投票用紙交付可能状態において、物体センサ３４が投票者等を検知すると、設定した選挙種別と記入方法をもとに、スピーカ３２から、例えば、「衆議院小選挙区です。投票用紙に候補者名を記入して下さい。」などの音声ガイドがアナウンスされる。
【００４３】
【発明の効果】
本発明の効果は次のとおりである。
【００４４】
（１）選挙の種別だけでなく、投票用紙の記入方法も音声で案内するので、誤記入等の混乱がなく、選挙管理者が口頭で説明する手間を省くことができる。
【００４５】
（２）選択した選挙種別に対し、選択候補となる投票用紙記入方法のみを表示し、その中から特定の記入方法を選択可能としたので、記入方法の選択が容易で選択間違いも少なくできる。
【００４６】
（３）選挙種別と投票用紙の記入方法を別々に記憶するので、全ての選挙種別と投票用紙の記入方法との組合せを記憶する場合に比べて、記憶手段の容量が少なくて済む。
【図面の簡単な説明】
【図１】  本発明の実施の形態に係る投票用紙自動交付機の外観図である。
【図２】  本発明の実施の形態に係る投票用紙自動交付機の制御系のブロック図である。
【図３】  本発明の実施の形態に係る投票用紙自動交付機の各種設定や集計のためのモード名とその内容の一覧表である。
【図４】  本発明の実施の形態に係る投票用紙自動交付機の選挙種別のデータ構造を示す図（Ａ）と、投票用紙の記入方法のデータ構造を示す図（Ｂ）である。
【図５】  比較例の選挙種別と記入方法のデータ構造を示す図である。
【図６】  本発明の実施の形態に係る投票用紙自動交付機の選挙種別と記入方法の設定時の表示部の表示内容を示す図である。
【符号の説明】
１  投票用紙自動交付機本体
２  操作盤
２１  表示部
２２  モード選択ボタン
２３  決定ボタン
２４ａ，２４ｂ  投出ボタン
３０  制御部
３１  記憶装置
３２  スピーカ
３４  物体センサ
【図１】
0004336050.tif 000002
【図２】
0004336050.tif 000003
【図３】
0004336050.tif 000004
【図４】
0004336050.tif 000005
【図５】
0004336050.tif 000006
【図６】
0004336050.tif 000007